(57)【特許請求の範囲】
【請求項１】
昇降路内を昇降するかご、
少なくとも一部が最下階の乗場出入口の上下方向範囲内で前記昇降路内に設けられており、かつ昇降路壁に対して間隔をおいて対向している昇降路機器、及び
一対の支柱と、前記支柱間に設けられている複数のステップとを有しており、かつ前記昇降路内に設置されているピット梯子
を備え、
前記ピット梯子は、前記昇降路機器よりも前記昇降路壁側で前記昇降路壁に対向している収納位置と、前記昇降路壁に対して傾斜した使用位置との間で回転可能になっており、
前記昇降路機器は、前記ピット梯子を正面から見て前記一対の支柱の間に配置されており、
前記ステップは、前記ピット梯子を前記収納位置と前記使用位置との間で回転させる際に前記昇降路機器と干渉する範囲外にのみ配置されており、
前記昇降路機器は、上下方向に沿って配置された棒状のスイッチ支持部材と、前記スイッチ支持部材に設けられており、前記かごに設けられている操作部材により操作される終点スイッチとを有する終点スイッチユニットであるエレベータ装置。
【請求項２】
前記ステップは、前記昇降路機器の下端よりも下のみに配置されている請求項１記載のエレベータ装置。
【請求項３】
前記ステップは、前記最下階のフロアレベルよりも下のみに配置されている請求項１又は請求項２に記載のエレベータ装置。
【請求項４】
前記スイッチ支持部材には、前記ピット梯子が前記収納位置にあることを検出する検出スイッチが設けられている請求項１から請求項３までのいずれか１項に記載のエレベータ装置。
【請求項５】
操作部材を有しており、昇降路内を昇降するかご、
上下方向に沿って配置された棒状のスイッチ支持部材と、前記スイッチ支持部材に設けられており、前記操作部材により操作される終点スイッチとを有しており、かつ前記昇降路内の最下階付近に設けられている終点スイッチユニット、及び
前記終点スイッチユニットに並べて前記昇降路内に設置されているピット梯子
を備え、
前記ピット梯子は、収納位置と、前記収納位置よりも昇降路壁に対する傾斜角度が大きい使用位置との間で回転可能になっており、
前記スイッチ支持部材には、前記ピット梯子が前記収納位置にあることを検出する検出スイッチが設けられているエレベータ装置。
【発明の詳細な説明】
【技術分野】
【０００１】
この発明は、作業員が昇降路ピット内に出入りする際に使用されるピット梯子が、昇降路内に設置されているエレベータ装置に関するものである。
【背景技術】
【０００２】
従来のエレベータのピット梯子保持装置では、ガイドレールに腕部材が水平に固定されている。腕部材には、ピット梯子のステップが掛けられるフック部材が設けられている。また、腕部材には、ピット梯子の脱着を検出する検出スイッチが設けられている（例えば、特許文献１参照）。【０００３】
また、従来のエレベータ装置のピット梯子は、固定側支柱、可動側支柱、及び複数の踏板を有している。固定側支柱は、かごガイドレールに固定されている。可動側支柱は、収納位置と使用位置との間で固定側支柱に対して水平に移動可能である。各踏板は、固定側支柱と可動側支柱との間に水平に架設されている。また、各踏板は、可動側支柱の移動により固定側支柱に対してスライド可能になっている。さらに、各踏板の一部は、可動側支柱が収納位置にあるとき、かごガイドレールの背部に配置される（例えば、特許文献２参照）。
【先行技術文献】
【特許文献】
【０００４】
【特許文献１】特開２００５−２６３３８７号公報
【特許文献２】特開２０１３−２２０９１３号公報
【発明の概要】
【発明が解決しようとする課題】
【０００５】
例えば機械室レスエレベータでは、昇降路内に多くの機器が設置されているが、昇降路の平面スペースをできるだけ縮小することも求められている。このため、特許文献１、２に示されているように、ピット梯子を昇降路内に常設しようとしても、最下階付近に固定されている昇降路機器、例えば終点スイッチユニットと干渉し、ピット梯子を昇降路内に常設することが困難な場合がある。【０００６】
これに対して、ピット梯子を昇降路の外に保管する場合、保管スペースが必要であり、また、使用時にピット梯子を運ぶ手間もかかる。【０００７】
この発明は、上記のような課題を解決するためになされたものであり、昇降路内のスペースを効率的に利用してピット梯子を昇降路内に常設することができるエレベータ装置を得ることを目的とする。
【課題を解決するための手段】
【０００８】
この発明に係るエレベータ装置は、昇降路内を昇降するかご、少なくとも一部が最下階の乗場出入口の上下方向範囲内で昇降路内に設けられており、かつ昇降路壁に対して間隔をおいて対向している昇降路機器、及び一対の支柱と、支柱間に設けられている複数のステップとを有しており、かつ昇降路内に設置されているピット梯子を備え、ピット梯子は、昇降路機器よりも昇降路壁側で昇降路壁に対向している収納位置と、昇降路壁に対して傾斜した使用位置との間で回転可能になっており、昇降路機器は、ピット梯子を正面から見て一対の支柱の間に配置されており、ステップは、ピット梯子を収納位置と使用位置との間で回転させる際に昇降路機器と干渉する範囲外にのみ配置されている。
また、この発明に係るエレベータ装置は、操作部材を有しており、昇降路内を昇降するかご、上下方向に沿って配置された棒状のスイッチ支持部材と、スイッチ支持部材に設けられており、操作部材により操作される終点スイッチとを有しており、かつ昇降路内の最下階付近に設けられている終点スイッチユニット、及び終点スイッチユニットに並べて昇降路内に設置されているピット梯子を備え、ピット梯子は、収納位置と、収納位置よりも昇降路壁に対する傾斜角度が大きい使用位置との間で回転可能になっており、スイッチ支持部材には、ピット梯子が収納位置にあることを検出する検出スイッチが設けられている。
【発明の効果】
【０００９】
この発明のエレベータ装置は、昇降路内のスペースを効率的に利用してピット梯子を昇降路内に常設することができる。
【図面の簡単な説明】
【００１０】
【図１】この発明の実施の形態１によるエレベータ装置を示す平面図である。
【図２】図１の終点スイッチユニット及びピット梯子を模式的に示す側面図である。
【図３】図１の終点スイッチユニット及びピット梯子を模式的に正面図である。
【図４】図２のピット梯子を使用位置に移動させた状態を示す側面図である。
【図５】この発明の実施の形態２によるエレベータ装置の終点スイッチユニット及びピット梯子を模式的に示す正面図である。
【発明を実施するための形態】
【００１１】
以下、この発明を実施するための形態について、図面を参照して説明する。
実施の形態１．
図１はこの発明の実施の形態１によるエレベータ装置を示す平面図であり、機械室レスエレベータを示している。図において、昇降路１内には、かご２及び釣合おもり３が設けられている。かご２及び釣合おもり３は、懸架体２１により昇降路１内に吊り下げられている。懸架体２１としては、複数本のロープ又は複数本のベルトが用いられている。
【００１２】
昇降路１の上部には、巻上機（図示せず）が設けられている。巻上機は、駆動シーブ、駆動シーブを回転させるモータ、及び駆動シーブの回転を制動するブレーキを有している。駆動シーブには、懸架体２１が巻き掛けられている。かご２及び釣合おもり３は、駆動シーブを回転させることにより、昇降路１内を昇降する。
【００１３】
かご２は、乗場側に位置する前面２ａ、前面２ａに対向する背面２ｂ、第１の側面２ｃ、及び第１の側面２ｃに対向する第２の側面２ｄを有している。前面２ａには、かご出入口２ｅが設けられている。
【００１４】
昇降路１内には、かご２の昇降を案内する第１及び第２のかごガイドレール４ａ，４ｂと、釣合おもり３の昇降を案内する第１及び第２の釣合おもりガイドレール５ａ，５ｂとが設けられている。
【００１５】
第１のかごガイドレール４ａは、第１の側面２ｃに対向している。第２のかごガイドレール４ｂは、第２の側面２ｄに対向している。即ち、かご２は、第１及び第２のかごガイドレール４ａ，４ｂ間に配置されている。また、第１及び第２のかごガイドレール４ａ，４ｂは、かご２の前後方向（図１の上下方向）の同じ位置で、かご２の幅方向（図１の左右方向）に互いに間隔をおいて配置されている。
【００１６】
第１及び第２の釣合おもりガイドレール５ａ，５ｂは、釣合おもり３の幅方向（図１の上下方向）に互いに間隔をおいて配置されている。釣合おもり３は、第１及び第２の釣合おもりガイドレール５ａ，５ｂの間に配置されている。また、釣合おもり３は、かご２と同じ高さに位置するときに第２の側面２ｄに対向するように、かご２の昇降領域の側方に配置されている。
【００１７】
かご２の下部には、第１及び第２のかご吊り車６ａ，６ｂが設けられている。釣合おもり３の上部には、釣合おもり吊り車７が設けられている。懸架体２１は、昇降路１内の上部に接続されている第１及び第２の端部を有している。
【００１８】
また、懸架体２１は、第１の端部側から順に、第１のかご吊り車６ａ、第２のかご吊り車６ｂ、駆動シーブ、及び釣合おもり吊り車７に巻き掛けられている。即ち、図１のエレベータ装置は、２：１ローピング方式のエレベータである。
【００１９】
昇降路１内の最下階付近には、昇降路機器である終点スイッチユニット８が設けられている。終点スイッチユニット８は、支持腕９を介して第２のかごガイドレール４ｂに対して固定されている。かご２には、終点スイッチユニット８を操作する操作部材としてのカム１０が設けられている。
【００２０】
昇降路１内には、ピット梯子１１が設けられている。ピット梯子１１は、作業員が最下階の乗場出入口２０から昇降路ピット１ａ内に出入りする際に使用される。また、ピット梯子１１は、第２の側面２ｄに対向する昇降路壁１ｂに、タラップブラケット１２を介して接続されている。
【００２１】
図２は図１の終点スイッチユニット８及びピット梯子１１を模式的に示す側面図であり、図１の矢印ＩＩ方向に沿って見た図である。また、図２では、かご２が最下階に停止している状態を示している。図３は図１の終点スイッチユニット８及びピット梯子１１を模式的に示す正面図であり、図１の矢印ＩＩＩ方向に沿って見た正面図である。
【００２２】
終点スイッチユニット８は、少なくとも一部が最下階の乗場出入口２０の上下方向範囲ｈ（図２）内に設けられている。また、終点スイッチユニット８は、昇降路壁１ｂに対して間隔をおいて対向している。
【００２３】
さらに、終点スイッチユニット８は、棒状のスイッチ支持部材１３と、スイッチ支持部材１３に設けられている複数（この例では３個）の終点スイッチ１４ａ，１４ｂ，１４ｃを有している。
【００２４】
スイッチ支持部材１３は、上下方向に沿って配置されている。終点スイッチ１４ａ，１４ｂ，１４ｃは、上下方向に互いに間隔をおいて配置されている。また、終点スイッチ１４ａ，１４ｂ，１４ｃは、かご２が昇降路１の最下部付近に到達した際にカム１０により操作される。
【００２５】
ピット梯子１１は、一対の支柱１５ａ，１５ｂと、支柱１５ａ，１５ｂ間に設けられている複数のステップ１６とを有している。ステップ１６は、上下方向に互いに間隔をおいて水平に配置されている。
【００２６】
また、支柱１５ａ，１５ｂの上端部間には、水平なシャフト１７が固定されている。タラップブラケット１２には、シャフト１７が貫通した長孔１２ａが設けられている。シャフト１７は、長孔１２ａに沿って上下方向へ移動可能である。
【００２７】
ピット梯子１１は、終点スイッチユニット８よりも昇降路壁１ｂで昇降路壁１ｂに対向している収納位置（図２）と、昇降路壁１ｂに対して傾斜した使用位置（図４）との間で、シャフト１７を中心として回転可能になっている。
【００２８】
使用位置にあるときのピット梯子１１の昇降路壁１ｂに対する傾斜角度は、収納位置にあるときのピット梯子１１の昇降路壁１ｂに対する傾斜角度よりも大きい。この例では、ピット梯子１１が収納位置にあるとき、支柱１５ａ，１５ｂは、垂直かつ昇降路壁１ｂに平行である。
【００２９】
ピット梯子１１の下端部は、ピット梯子１１が使用位置にあるとき、ピット梯子１１が収納位置にあるときよりも昇降路壁１ｂから離れている。ピット梯子１１の昇降路壁１ｂに対する傾斜角度は、使用位置にあるときの傾斜角度よりも大きくならないようになっている。
【００３０】
なお、図３では、シャフト１７が、タラップブラケット１２ではなく支持腕９に接続されている。このように、ピット梯子１１は、専用のタラップブラケット１２ではなく、終点スイッチユニット８と共通の支持腕９に取り付けてもよい。
【００３１】
終点スイッチユニット８は、図３に示すように、ピット梯子１１を正面から見て、一対の支柱１５ａ，１５ｂの間に配置されている。そして、ステップ１６は、ピット梯子１１を収納位置と使用位置との間で回転させる際に終点スイッチユニット８と干渉する範囲外にのみ配置されている。
【００３２】
即ち、ステップ１６は、終点スイッチユニット８の下端よりも下のみに配置されている。この例では、終点スイッチユニット８の下端が最下階のフロアレベルＦＬ付近に位置しており、ステップ１６は、最下階のフロアレベルＦＬよりも下のみに配置されている。
【００３３】
ピット梯子１１が使用位置にあるとき、支柱１５ａ，１５ｂの上端は、最下階のフロアレベルＦＬから０．６ｍ以上上に位置している。また、ピット梯子１１が使用位置にあるとき、全てのステップ１６は、終点スイッチユニット８よりも昇降路壁１ｂから離れている。即ち、ピット梯子１１が使用位置にあるとき、全てのステップ１６は、真上から見て終点スイッチユニット８よりもかご２側にある。
【００３４】
スイッチ支持部材１３には、ピット梯子１１が収納位置にあることを検出する検出スイッチ１８が設けられている。ピット梯子１１が収納位置に収納されると、検出スイッチ１８の接点が閉じられる。これにより、エレベータ制御装置（図示せず）は、ピット梯子１１が収納位置にあると判定する。
【００３５】
ピット梯子１１が収納位置から外されると、検出スイッチ１８の接点が開く。これにより、エレベータ制御装置は、ピット梯子１１が収納位置にないと判定し、かご２の通常運転、即ち自動運転を禁止する。
【００３６】
なお、図２〜図４では、スイッチ支持部材１３に対する終点スイッチ１４ａ，１４ｂ，１４ｃ及び検出スイッチ１８の位置及び向きが異なっている。しかし、実際には、終点スイッチ１４ａ，１４ｂ，１４ｃは、カム１０により操作可能な位置で上下に並べて配置されている。また、検出スイッチ１８は、カム１０と干渉せず、かつ収納位置にあるピット梯子１１と接する位置に配置されている。
【００３７】
作業員が昇降路ピット１ａに入る場合、かご２を最下階よりも上で停止させた状態で、最下階の乗場出入口２０を手動で開放する。この後、乗場出入口２０から昇降路１内に手を入れて、ピット梯子１１を使用位置に移動させる。
【００３８】
この後、支柱１５ａ，１５ｂの少なくともいずれか一方のフロアレベルＦＬよりも上の部分を掴み、ステップ１６に足を掛け、ピット梯子１１に乗り移る。そして、ピット梯子１１を使って昇降路ピット１ａに降りる。
【００３９】
作業員が昇降路ピット１ａから最下階の乗場に戻る場合は、上記の逆の手順である。作業員は、最下階の乗場に戻った後、乗場から昇降路１内に手を入れて、ピット梯子１１を収納位置に戻す。
【００４０】
このようなエレベータ装置では、正面から見てピット梯子１１を終点スイッチユニット８にオーバーラップさせても、終点スイッチユニット８と干渉する範囲にはステップ１６が設けられていないので、ピット梯子１１を収納位置と使用位置との間で回転させることができる。
【００４１】
また、支柱１５ａ，１５ｂは、最下階のフロアレベルＦＬよりも上まで配置されており、終点スイッチユニット８と干渉しない範囲には、ステップ１６が適正な間隔で設けられているので、作業員はピット梯子１１を利用して昇降路ピット１ａに出入りすることができる。
【００４２】
従って、昇降路１内のスペースを効率的に利用して、ピット梯子１１を昇降路１内に常設することができる。また、ピット梯子１１の設置自由度を向上させることができる。
【００４３】
また、ステップ１６が最下階のフロアレベルＦＬよりも下のみに配置されているので、ピット梯子１１と終点スイッチユニット８との干渉を避けつつ、作業員がピット梯子１１を利用して昇降路ピット１ａに容易に出入りすることができる。
【００４４】
さらに、終点スイッチユニット８は、下端が最下階のフロアレベルＦＬ付近に位置している。また、終点スイッチユニット８は、ピット梯子１１を正面から見て、支柱１５ａ，１５ｂ間に配置することが容易である。このため、ピット梯子１１と同位置に配置する昇降路機器として終点スイッチユニット８を選択することにより、昇降路１内のスペースをより効率的に利用することができる。
【００４５】
さらにまた、スイッチ支持部材１３に検出スイッチ１８を設けたので、検出スイッチ１８及びその配線を、終点スイッチユニット８を利用して効率的に配置することができ、ピット梯子１１を昇降路１内に常設することができる。また、ピット梯子１１の収納検出システムを簡素化することができる。
【００４６】
なお、上記の例では、収納位置にあるピット梯子１１が昇降路壁１ｂに対して平行であるが、かご２及び他の機器と干渉しなければ、ある程度傾斜していてもよい。
また、上記の例では、昇降路機器として終点スイッチユニット８を示したが、これに限定されるものではない。例えば、終点スイッチ等のスイッチがかごに搭載され、そのスイッチを操作する操作部材が昇降路側に設けられている場合、昇降路機器は操作部材、例えばカムであってもよい。また、昇降路機器は、例えばEN81-20 5.2.1.5.1で要求されているピットスイッチであってもよい。
さらに、上記の例では、ステップ１６が最下階のフロアレベルＦＬよりも下のみに配置されているが、昇降路機器と干渉しなければ、ステップを最下階のフロアレベルよりも上に配置してもよい。例えば、昇降路機器の下端がフロアレベルよりも少し上に位置している場合、最上段のステップをフロアレベルよりも少し上に配置することも可能である。
【００４７】
実施の形態２．
次に、図５はこの発明の実施の形態２によるエレベータ装置の終点スイッチユニット８及びピット梯子１１を模式的に示す正面図である。実施の形態２では、ピット梯子１１を正面から見て、ピット梯子１１が終点スイッチユニット８に並べて配置されている。即ち、終点スイッチユニット８は、ピット梯子１１の幅方向についてピット梯子１１の外側に配置されており、かつ支柱１５ａとかごガイドレール４ｂとの間に配置されている。
【００４８】
ステップ１６は、最下階のフロアレベルＦＬよりも下と上との両方に配置されている。即ち、ステップ１６は、通常の梯子と同様に、支柱１５ａ，１５ｂの全体に渡って等間隔で設けられている。他の構成は、実施の形態１と同様である。
【００４９】
このように、昇降路１の平面スペースに余裕があり、ピット梯子１１を終点スイッチユニット８にオーバーラップさせずに済む場合でも、スイッチ支持部材１３に検出スイッチ１８を設けることで、検出スイッチ１８及びその配線を、終点スイッチユニット８を利用して効率的に配置することができ、ピット梯子１１を昇降路１内に常設することができる。また、ピット梯子１１の収納検出システムを簡素化することができる。
【００５０】
なお、エレベータ装置の機器のレイアウトは、図１に限定されるものではない。例えば、釣合おもりは、かごと同じ高さに位置するときにかごの背面に対向するように、かごの昇降領域の後方に配置されていてもよい。
また、この発明は、機械室を有するエレベータ、１：１ローピング方式のエレベータ、及びダブルデッキエレベータなど、昇降路１内にピット梯子１１が設置されている種々のタイプのエレベータ装置に適用できる。
【符号の説明】
【００５１】
１  昇降路、１ａ  昇降路ピット、１ｂ  昇降路壁、２  かご、８  終点スイッチユニット（昇降路機器）、１０  カム（操作部材）、１１  ピット梯子、１３  スイッチ支持部材、１４ａ，１４ｂ，１４ｃ  終点スイッチ、１５ａ，１５ｂ  支柱、１６  ステップ、１８  検出スイッチ、２０  乗場出入口。
【要約】
エレベータ装置において、昇降路機器は、少なくとも一部が最下階の乗場出入口の上下方向範囲内で昇降路内に設けられており、かつ昇降路壁に対して間隔をおいて対向している。ピット梯子は、一対の支柱と複数のステップとを有している。また、ピット梯子は、昇降路機器よりも昇降路壁側で昇降路壁に対向している収納位置と、昇降路壁に対して傾斜した使用位置との間で回転可能になっている。昇降路機器は、ピット梯子を正面から見て一対の支柱の間に配置されている。ステップは、ピット梯子を収納位置と使用位置との間で回転させる際に昇降路機器と干渉する範囲外にのみ配置されている。【図１】
0006336224.tif 000002
【図２】
0006336224.tif 000003
【図３】
0006336224.tif 000004
【図４】
0006336224.tif 000005
【図５】
0006336224.tif 000006